(57)【要約】      （修正有）【課題】複数の臨床情報項目を表示対象と非表示対象に区分し、表示対象となる臨床情報項目に該当する臨床情報を表示させる際に、合併症や他の疾患などの兆候を示す可能性のある非表示の臨床情報の存在をユーザに喚起し、見落としを防止する装置を提供する。【解決手段】複数の臨床情報項目を表示対象と非表示対象に区分し、表示対象となる臨床情報項目に該当する臨床情報を表示装置に表示させる臨床情報表示装置において、非表示対象の臨床情報項目に該当する臨床情報について異常を検出する異常検出部と、異常検出部により異常が検出された場合にその旨を報知する報知部とを備える。【選択図】図４
2014071617.tif 000002
【特許請求の範囲】
【請求項１】
複数の臨床情報項目を表示対象と非表示対象に区分し、前記表示対象となる臨床情報項目に該当する臨床情報を表示装置に表示させる臨床情報表示装置において、
前記非表示対象の臨床情報項目に該当する臨床情報について異常を検出する異常検出部と、
該異常検出部により異常が検出された場合にその旨を報知する報知部と
を備えたことを特徴とする臨床情報表示装置。
【請求項２】
前記報知部が、前記異常検出部により異常が検出された場合に、前記報知に加えて、前記異常が検出された臨床情報に関する情報を表示装置に表示させるものであることを特徴とする請求項１記載の臨床情報表示装置。
【請求項３】
前記臨床情報項目のそれぞれと該臨床情報項目に関わる疾患との対応関係を記憶する対応関係記憶部を備え、
前記報知部が、前記異常検出部により異常が検出された場合に、前記報知に加えて、前記対応関係記憶部に記憶されている対応関係から前記異常が検出された臨床情報の臨床情報項目に対応する疾患を特定し、該疾患の情報を前記表示装置に表示させるものであることを特徴とする請求項１または２記載の臨床情報表示装置。
【請求項４】
前記報知部により前記報知を行う臨床情報項目が制限される制限モードを設定するモード設定部を備え、
前記報知部が、前記モード設定部により制限モードが設定されているときは、制限されていない臨床情報項目についてのみ前記報知を行うものであることを特徴とする請求項１から３のいずれか１項記載の臨床情報表示装置。
【請求項５】
前記報知部によりその情報が表示画面上に表示されたいずれかの疾患を選択するユーザ入力を受け付ける入力受付部と、
該入力受付部により前記疾患を選択するユーザ入力を受け付けたとき、前記表示装置に表示させる表示画面を、前記選択された疾患に予め対応付けられている臨床情報項目に該当する臨床情報を表示させた表示画面に切替える表示制御部とを備えたことを特徴とする請求項３記載の臨床情報表示装置。
【請求項６】
前記異常検出部が、一連の数値データからなる臨床情報について、該臨床情報により作成されるグラフの傾きに基づいて異常を検出するものであることを特徴とする請求項１から５のいずれか１項記載の臨床情報表示装置。
【請求項７】
前記異常検出部が、複数回に亘って取得された一連の数値データからなる臨床情報について、該臨床情報を構成する数値データが所定の基準値範囲を外れた状態が所定期間以上続いたか否かに基づいて異常を検出するものであることを特徴とする請求項１から５のいずれか１項記載の臨床情報表示装置。
【請求項８】
異常検出部と、報知部とを備えた臨床情報表示装置によって実行される臨床情報表示方法であって、
複数の臨床情報項目を表示対象と非表示対象に区分し、前記表示対象となる臨床情報項目に該当する臨床情報を表示装置に表示させる際に、前記異常検出部が前記非表示対象の臨床情報項目に該当する臨床情報について異常を検出し、該異常が検出された場合に前記報知部がその旨を報知することを特徴とする臨床情報表示方法。
【請求項９】
前記報知部が、前記異常が検出された場合に、前記報知に加えて、前記異常が検出された臨床情報に関する情報を表示装置に表示させることを特徴とする請求項８記載の臨床情報表示方法。
【請求項１０】
コンピュータを、複数の臨床情報項目を表示対象と非表示対象に区分し、前記表示対象となる臨床情報項目に該当する臨床情報を表示装置に表示させる臨床情報表示装置として機能させるための臨床情報表示プログラムであって、
前記データ表示装置が、
前記非表示対象の臨床情報項目に該当する臨床情報について異常を検出する異常検出部と、
該異常検出部により異常が検出された場合にその旨を報知する報知部と
を備えたことを特徴とする臨床情報表示プログラム。
【発明の詳細な説明】
【技術分野】
【０００１】
本発明は、患者の複数の臨床情報のうちその患者に想定される疾患の診断に必要な重要な臨床情報を表示するための臨床情報表示装置、方法及びプログラムに関するものである。
【背景技術】
【０００２】
医療分野においては、病名を診断したり治療方針を決定するための参考情報として、患者について取得された種々の臨床情報を表示装置に表示する処理が行われている。
【０００３】
例えば、特許文献１には、近来の医療技術の進展に伴い臨床情報項目の多様化が進むにつれて、１人の患者について多数の臨床情報が存在する事例が多く、患者について取得された臨床情報を全て表示させるのは現実的ではないことから、患者に特定の疾患が疑われるときには、その疾患の診断に必要な一部の臨床情報のみを表示の対象とすることにより、すなわちその疾患の診断に不必要な残りの臨床情報は非表示とすることにより、医師などのユーザが注目する臨床情報を効率的に参照できるようにする方法が提案されている。さらに、特許文献２には、画面上に複数の検査データ（臨床情報）を表示する際に、その表示される各検査データを正常値であるか又は正常範囲から外れた異常値であるかを視覚的に区別可能な態様で表示する技術が開示されている。
【先行技術文献】
【特許文献】
【０００４】
【特許文献１】特開２０１０‐６１３８９号公報
【特許文献２】特開２００１‐１３３２９３号公報
【発明の概要】
【発明が解決しようとする課題】
【０００５】
しかしながら、特定の疾患の診断に必要な一部の臨床情報のみを表示の対象とする上記従来の手法は、注目する臨床情報の参照効率を向上させる上で有効だが、その絞込みにより非表示となった他の臨床情報は、合併症や他の疾患などの兆候を示すことがあるにもかかわらず、見落とす可能性がある。
【０００６】
本発明は、上記事情に鑑み、複数の臨床情報項目を表示対象と非表示対象に区分し、表示対象となる臨床情報項目に該当する臨床情報を表示させる際に、合併症や他の疾患などの兆候を示す可能性のある非表示の臨床情報の存在をユーザに喚起し、見落としを防止する臨床情報表示装置、方法及びプログラムを提供することを目的とする。
【課題を解決するための手段】
【０００７】
本発明の臨床情報表示装置は、複数の臨床情報項目を表示対象と非表示対象に区分し、表示対象となる臨床情報項目に該当する臨床情報を表示装置に表示させる臨床情報表示装置において、非表示対象の臨床情報項目に該当する臨床情報について異常を検出する異常検出部と、異常検出部により異常が検出された場合にその旨を報知する報知部とを備えたことを特徴とするものである。
【０００８】
このとき、報知部は、たとえば異常が検出された旨のメッセージを表示装置に表示させたり、あるいは警告音を発したりすることで異常が検出された旨を報知することができる。
【０００９】
また、「臨床情報」とは、診断のために取得した患者に関する情報をいい、患者に対して施された検査や患者の申告などより得られる情報である。その具体例としては、血圧、脈拍、年齢、性別、体重、体温、呼吸数などの患者基本情報、主訴、生活歴、既往歴、家族歴、各種検査結果データ、各種画像所見および画像特徴量、投薬・治療実施内容、治療結果、遺伝子情報、重症度などが挙げられる。
【００１０】
また、「臨床情報項目」は、臨床情報の種類を表す項目であり、例えば、患者基本情報に関して血圧、脈拍、年齢、性別、体重、体温、呼吸数などを臨床情報項目とすることができ、血液検査に関して検査項目、画像検査に関してモダリティの種類、投薬情報に関して薬剤の種類などを臨床情報項目とすることができる。
【００１１】
上記本発明の臨床情報表示装置において、報知部は、異常検出部により異常が検出された場合に、前記報知に加えて、異常が検出された臨床情報に関する情報を表示装置に表示させるものであってもよい。
【００１２】
ここで、「臨床情報に関する情報」の具体例としては、臨床情報の項目名、臨床情報そのもの、臨床情報項目に関連付けられている疾患の情報などが挙げられる。
【００１３】
上記本発明の臨床情報表示装置において、臨床情報項目のそれぞれとその臨床情報項目に関わる疾患との対応関係を記憶する対応関係記憶部を備え、報知部は、異常検出部により異常が検出された場合に、前記報知に加えて、対応関係記憶部に記憶されている対応関係から異常が検出された臨床情報の臨床情報項目に対応する疾患を特定し、その疾患の情報（たとえば、疾患名など）を表示装置に表示させるものであってもよい。
【００１４】
上記本発明の臨床情報表示装置において、報知部により前記報知を行う臨床情報項目が制限される制限モードを設定する制限モード設定部を備え、報知部は、制限モード設定部により制限モードが設定されているときは、制限されていない臨床情報項目についてのみ前記報知を行うものであってもよい。
【００１５】
このとき、制限モードは、全ての臨床情報項目について報知が制限され、報知が一切行われないようにしたモードであってもよい。重要度が低い一部の臨床情報項目についてのみ報知が制限され、重要度が高い臨床情報項目についてのみ報知が行われるようにしたモードであってもよい。
【００１６】
上記本発明の臨床情報表示装置において、報知部によりその情報が表示画面上に表示されたいずれかの疾患を選択するユーザ入力を受け付ける入力受付部と、入力受付部によ疾患を選択するユーザ入力を受け付けたとき、表示装置に表示させる表示画面を、前記選択された疾患に予め対応付けられている臨床情報項目に該当する臨床情報を表示させた表示画面に切替える表示制御部とをさらに備えてもよい。
【００１７】
上記本発明の臨床情報表示装置において、異常検出部は、一連の数値データからなる臨床情報について、その臨床情報により作成されるグラフの傾きに基づいて異常を検出するものであってもよいし、複数回に亘って取得された一連の数値データからなる臨床情報について、その臨床情報を構成する数値データが所定の基準値範囲を外れた状態が所定期間以上続いたか否かに基づいて異常を検出するものであってもよい。
【００１８】
本発明の臨床情報表示方法は、異常検出部と、報知部とを備えた臨床情報表示装置によって実行される臨床情報表示方法であって、複数の臨床情報項目を表示対象と非表示対象に区分し、表示対象となる臨床情報項目に該当する臨床情報を表示装置に表示させる際に、異常検出部が非表示対象の臨床情報項目に該当する臨床情報について異常を検出し、異常が検出された場合に報知部がその旨を報知することを特徴とするものである。
【００１９】
上記本発明の臨床情報表示方法において、異常が検出された場合に、前記報知に加えて、異常が検出された臨床情報に関する情報を表示装置に表示するようにしてもよい。
報知部が、
【００２０】
コンピュータを、複数の臨床情報項目を表示対象と非表示対象に区分し、表示対象となる臨床情報項目に該当する臨床情報を表示装置に表示させる臨床情報表示装置として機能させるための臨床情報表示プログラムであって、データ表示装置が、非表示対象の臨床情報項目に該当する臨床情報について異常を検出する異常検出部と、異常検出部により異常が検出された場合にその旨を報知する報知部とを備えたことを特徴とするものである。
【発明の効果】
【００２１】
本発明の臨床情報表示装置、方法及びプログラムによれば、複数の臨床情報項目を表示対象と非表示対象に区分し、表示対象となる臨床情報項目に該当する臨床情報を表示装置に表示させる際に、非表示対象の臨床情報項目に該当する臨床情報について異常を検出し、異常が検出された場合にその旨を報知するようにしているので、合併症や他の疾患などの兆候を示す可能性のある非表示の臨床情報の存在をユーザに喚起し、見落としを防止することができる。
【００２２】
上記本発明の臨床情報表示装置において、報知部が、異常検出部により異常が検出された場合に、前記報知に加えて、異常が検出された臨床情報に関する情報を表示装置に表示させるものである場合、その表示により、ユーザは、どの臨床情報で異常が検出されたかを把握し、必要に応じて診療等の適切な対応を取ることができる。
【００２３】
上記本発明の臨床情報表示装置において、臨床情報項目のそれぞれとその臨床情報項目に関わる疾患との対応関係を記憶する対応関係記憶部を備え、報知部が、異常検出部により異常が検出された場合に、前記報知に加えて、対応関係記憶部に記憶されている対応関係から異常が検出された臨床情報の臨床情報項目に対応する疾患を特定し、その疾患の情報を表示装置に表示させるものである場合、その表示により、ユーザは、異常が検出された臨床情報に関わる疾患を把握し、必要に応じて診療等の適切な対応を取ることができる。
【００２４】
上記本発明の臨床情報表示装置において、報知部により前記報知を行う臨床情報項目が制限される制限モードを設定する制限モード設定部を備え、報知部が、制限モード設定部により制限モードが設定されているとき、制限されていない臨床情報項目についてのみ前記報知を行うものである場合には、たとえばユーザにとって重要度の低い臨床情報については報知が行われないようにすることができ、ユーザが不要な報知に対応することによる作業効率の低下を防止することができる。
【００２５】
上記本発明の臨床情報表示装置において、報知部によりその情報が表示画面上に表示されたいずれかの疾患を選択するユーザ入力を受け付ける入力受付部と、入力受付部によ疾患を選択するユーザ入力を受け付けたとき、表示装置に表示させる表示画面を、前記選択された疾患に予め対応付けられている臨床情報項目に該当する臨床情報を表示させた表示画面に切替える表示制御部とをさらに備えた場合、その表示により、ユーザは、異常が検出された臨床情報に関わる疾患の診断に必要な臨床情報を把握し、必要に応じて診療等の適切な対応を取ることができる。
【図面の簡単な説明】
【００２６】
【図１】本発明の臨床情報表示装置を適用した臨床情報システムの概略構成を示す図
【図２】臨床情報項目と疾患との対応関係を既定した表示フィルタの一例を示す図
【図３】表示制御部２４により表示される表示画面の一例を示す図
【図４】表示制御部２４により表示される表示画面の別の例を示す図
【発明を実施するための形態】
【００２７】
以下、図面を参照して、本発明の臨床情報表示装置、方法及びプログラムの一実施形態について説明する。図１は、本発明の実施形態による臨床情報表示装置を適用した臨床情報システム１０の概略構成を示す図である。臨床情報システム１０は、図１に示すように、診療科端末２、臨床情報管理サーバ３、電子カルテ保管サーバ４、検査室端末５、および画像診断システム６がネットワーク７を介して通信可能に接続されて構成されている。ここで、本実施形態に係る臨床情報表示装置１は、臨床情報管理サーバ３、および診療科端末２により構成される。
【００２８】
電子カルテ保管サーバ４は、電子カルテが格納された電子カルテデータベースを備え、電子カルテデータベースを運用、管理するコンピュータである。検査室端末５は、検査室におかれ、各診療科端末２から入力された検査オーダにしたがって検査室で実施された検査結果の情報を入力するために利用するコンピュータであり、オペレーションシステムなどの標準的なソフトウェアに加え、検査オーダの閲覧および検査結果の入力を行うためのソフトウェアが組み込まれている。各検査室で行なわれた検査結果の情報は、検査室端末５から検査オーダや患者ＩＤと関連づけて入力される。また、検査室端末５は、入力された検査結果の情報を記憶する検査結果データベースを備えている。
【００２９】
画像診断システム６は、ＣＴ、ＭＲＩ等のモダリティでの撮影によって得られた画像データが格納された画像データベースを備えた画像管理サーバ６１と、撮影で得られた画像の読影結果を含む読影レポートが格納された読影レポートデータベースを備えた読影レポートサーバ６２がネットワーク７を介して通信可能に接続されて構成されている。画像診断医用ワークステーションは、種々の画像解析処理ソフトウェアがインストールされ、診断目的・対象に応じて、種々の画像解析処理を実行することが可能なように構成されている。
【００３０】
臨床情報管理サーバ３は、電子カルテ保管サーバ４の電子カルテデータベース、検査室端末５の検査結果データベース、画像管理サーバ６１の画像データベース、および読影レポートサーバ６２の読影レポートデータベースから患者に係る様々な臨床情報を取得し、臨床情報データベース３Ａを構築するとともに、構築された臨床情報データベース３Ａを運用、管理するコンピュータである。また、臨床情報データベース３Ａには、患者について取得された臨床情報３１に加え、臨床情報の種類を表す項目（臨床情報項目）にその臨床情報項目に対応する疾患を対応付けた表示フィルタ３２が記憶されている。図２に、表示フィルタ３２の例を示す。なお、この表示フィルタ３２が、本発明の「臨床情報項目のそれぞれと該臨床情報項目に関わる疾患との対応関係」に対応し、臨床情報管理サーバ３が、本発明の「対応関係記憶部」に対応する。
【００３１】
診療科端末２は、診療科の医師などが患者の臨床情報の閲覧や検査オーダの入力などに利用するコンピュータであり、ディスプレイ等の表示装置２４と、マウス、キーボード等の入力受付部２７とを備えている。また、診療科端末２は、オペレーションシステムなどの標準的なソフトウェアに加え、本実施形態に係る臨床情報表示処理を実現するための臨床情報表示アプリケーションソフトウェア（臨床情報表示プログラム）が組み込まれている。診療科端末２のコンピュータは、この臨床情報表示プログラムによって制御されて、臨床情報取得部２２、異常検出部２３、表示制御部２４、制限モード設定部２６として機能する。
【００３２】
臨床情報取得部２２は、入力受付部２１によりユーザの入力を受け付けて、表示対象患者の患者ＩＤや表示対象患者の想定される疾患を取得し、臨床情報管理サーバ３の臨床情報データベース３Ａから、表示対象患者の臨床情報３１と表示フィルタ３２を取得する。そして、表示フィルタ３２に基づいて、患者の疾患に対応する項目の臨床情報とその他の臨床情報に区分し、患者の疾患に対応する項目の臨床情報を表示装置２５への表示対象として表示制御部２４に出力するとともに、その他の非表示対象の臨床情報を異常検出部２３に出力する。
【００３３】
たとえば、入力受付部２１により受け付けたユーザ入力により表示対象患者の想定される疾患として肺炎が指定された場合には、図２に示す表示フィルタ３２から、肺炎に対応するＴＥＭＰ（体温）,ＳＢＰ（収縮期血管）,ＤＢＰ（拡張期血圧）,ＰＡ（脈拍）,ＲＲＰ（呼吸数）,ＳｐＯ２（血中酸素飽和度）,・・・などの臨床情報項目に該当する臨床情報を表示対象の臨床情報として抽出し、表示制御部２４に出力するとともに、その他の臨床情報を異常検出部２３に出力する。
【００３４】
異常検出部２３は、臨床情報取得部２２から入力された非表示対象の臨床情報について異常を検出し、異常が検出された場合には、その旨を表す信号を表示制御部に出力する。また、異常検出部２３は、予め設定された所定の異常検出オプションに従って、異常が検出された旨の信号に加えて、異常が検出された臨床情報に関する情報、異常が検出された臨床情報の臨床情報項目に対応する疾患の情報等をさらに表示制御部に出力する機能を有する。
【００３５】
異常検出部２３は、基本的には、異常を判断する対象の臨床情報が所定の基準値範囲（正常値）を外れたか否かに基づいて異常を判断する。このとき、異常の判断基準は、対象患者の臨床情報の履歴に基づいて適宜設定、変更することができる。
【００３６】
異常検出部２３は、臨床情報がグラフとして表すことのできる一連の数値データからなるものである場合には、その臨床情報により作成されるグラフの傾きに基づいて異常を検出することができる。たとえば、臨床情報の数値データが所定の基準値範囲を外れた傾き（所定値以上または所定値以下の傾き）で異常方向に上昇あるいは低下する場合、その臨床情報項目が異常であると判断することができる。
【００３７】
また、異常検出部２３は、複数回に亘って取得された一連の数値データからなる臨床情報について、該臨床情報の数値データが所定の基準値範囲を外れた状態が所定期間以上続いたか否かに基づいて異常を検出することができる。たとえば、臨床情報の数値データが所定の基準値範囲を外れた状態が長期間（たとえば３ヶ月以上）続いている場合、その臨床情報項目が異常であると判断することができる。
【００３８】
また、異常検出部２３は、その臨床情報項目の性質上、他の臨床情報項目との組み合わせにより異常を判断することができる臨床情報項目については、他の臨床情報項目に該当する臨床情報を参照して異常の有無を判断することができる。たとえば特定の複数項目の臨床情報が全て所定の基準値範囲を外れた状態にある場合に、それらの臨床情報が異常であると判断することができる。その具体例として、ＢＵＮ（尿素窒素）、Ｃｒ（クレアチニン）、およびＳｐＯ２（酸素飽和度）の臨床情報が全てそれぞれの臨床情報項目に対応して予め設定された所定の基準値範囲を外れた状態にある場合、肺炎による脱水症状があると認定することができるので、そのような場合にそれらの臨床情報項目が異常であると判断する。
【００３９】
表示制御部２４は、臨床情報の表示位置や表示方法を予め設定した所定の表示オプションに従って、臨床情報取得部２２から入力された表示対象の臨床情報を表示装置２５に表示する。このとき、異常検出部２３により非表示の臨床情報において異常が検出され、異常検出部２３からその旨の入力があった場合には、非表示の臨床情報について異常が検出された旨を報知する警告表示をさらに行う。表示制御部２４は、予め設定された所定の異常検出オプションにより、異常検出部２３から、異常が検出された旨の信号に加えて、異常が検出された臨床情報に関する情報、異常が検出された臨床情報の臨床情報項目に対応する疾患の情報等がさらに入力された場合には、それらの情報を含む警告表示を行う。図３に、表示制御部２４により表示される表示画面の一例を示す。図３の表示画面では、表示対象患者：富士太郎について、その患者に想定される疾患として指定された肺炎に対応する臨床情報を統合表示した表示ウィンドウ２１０の上に、非表示の臨床情報であるＢＵＮ・Ｃｒに異常が検出された旨を知らせる警告ポップアップ２２０が表示されている。
【００４０】
図３の表示ウィンドウ２１０では、上部の表示領域２１１に患者ＩＤと患者名を表示し、そのすぐ下方の、表示領域２１２に現病歴を、表示領域２１３に既往歴を、表示領域２１４に診療録を表示している。また、その下方全体の表示領域を左右に２分割し、左側の表示領域には表示対象の臨床情報項目を特定する情報を、右側の表示領域には表示対象の臨床情報項目に該当する臨床情報を表示している。左側の、表示領域２１５にユーザにより指定された疾患（肺炎）を、表示領域２１６にその疾患に対応する薬剤の種類を、表示領域２１７にその疾患に対応する検査項目を、表示領域２１８にその疾患に対応するその他の表示対象項目を表示している。また、右側の、表示領域２１９にその下方の表示領域において表示する臨床情報の表示期間を、表示領域２１６ａに投薬情報を、表示領域２１７ａに検査データのグラフを、表示領域２１８ａにその他の表示対象の臨床情報を表示している。
【００４１】
図４に、表示制御部２４により表示される表示画面の別の例を示す。図４の表示画面では、表示対象患者の想定される疾患として指定された肺炎に対応する臨床情報を表示した表示ウィンドウ２１０の上に、非表示の臨床情報であるＢＵＮ・Ｃｒに異常が検出された旨を知らせるとともに、それらの臨床情報項目に対応する疾患の情報（疾患名リスト）を知らせる警告ポップアップ２２０が表示されている。
【００４２】
表示制御部２４は、図４に示すような、異常が検出された臨床情報項目に対応する疾患の情報（疾患名など）を表示した表示画面に対して、入力受付部２１によりその表示されたいずれかの疾患を選択するユーザ入力が受け付けられた場合、そのユーザ入力に応じて、それまで表示装置２５に表示させていた表示画面を、ユーザ入力により選択された疾患に対応付けられている臨床情報項目の臨床情報を表示させた表示画面に切替える機能を有する。この表示の切替えは、臨床情報取得部２２により取得された同患者の臨床情報から、表示フィルタ３２に基づいて、新たに選択された疾患に対応する項目の臨床情報を抽出し、抽出された臨床情報を予め設定した所定の表示オプションに従って表示装置２５に表示することにより行う。
【００４３】
制限モード設定部２６は、入力受付部２１によりユーザの入力を受け付けて、表示制御部２４において異常の報知を行う臨床情報項目を制限する制限モードを設定する。たとえば、表示画面上に表示/非表示の切り替えの指示を受け付ける切替ボタンを設け、その切替ボタンに対するユーザ入力に応じて報知の有無を設定することができる。また、入力受付部２１により、異常が検出された場合に報知を行う臨床情報項目（あるいは臨床情報項目群）を選択するユーザの入力を受け付けて、選択された臨床情報項目（制限されていない臨床情報項目）についてのみ報知が行われるようにすることもできる。
【００４４】
上記構成により、本実施形態の臨床情報システム１０によれば、複数の臨床情報項目を表示対象と非表示対象に区分し、表示対象となる臨床情報項目に該当する臨床情報を表示装置に表示させる際に、非表示対象の臨床情報項目に該当する臨床情報について異常を検出し、異常が検出された場合にその旨を報知するようにしているので、合併症や他の疾患などの兆候を示す可能性のある非表示の臨床情報の存在をユーザに喚起し、見落としを防止することができる。
【００４５】
なお、上記実施形態において、表示制御部２４は、入力受付部２１によるユーザの入力に応じて、表示対象患者について取得された全ての臨床情報を表示するモードと、指定された疾患に対応する臨床情報のみを表示するモードとを切り替えて表示させる機能を有するものであってもよい。
【００４６】
また、表示制御部２４は、表示対象患者について取得された臨床情報の中に未読の情報がある場合には、未読フラグを表示する機能を有するものであってもよい。
【００４７】
また、上記実施形態では、表示対象と非表示対象の臨床情報項目を疾患に応じて区分する場合について説明したが、たとえば投薬情報など、他の区分基準に基づいて区分し、表示／非表示させるようにしてもよい。
【００４８】
また、本実施形態に限定されず、臨床情報表示装置の構成要素の一部または全部は、1台のコンピュータにより構成されたものであってもよいし、ネットワークを介して接続された一台以上のコンピュータ等の装置によって構成されたものであってもよい。
【符号の説明】
【００４９】
１    臨床情報表示装置
２    診療科端末
３    臨床情報管理サーバ
３Ａ  臨床情報データベース
２１  入力受付部
２２  臨床情報取得部
２３  異常検出部
２４  表示制御部
２５  表示装置
２６  制限モード設定部
３１  臨床情報
３２  表示フィルタ
【図１】
2014071617.tif 000003
【図２】
2014071617.tif 000004
【図３】
2014071617.tif 000005
【図４】
2014071617.tif 000006